(57)【特許請求の範囲】
【請求項１】
定電圧定電流回路の出力電圧及び出力電流の制御用に用いられ、前記出力電圧に対応する電圧と、前記出力電流に対応する電圧とが、前記定電圧定電流回路から入力され、
電圧検出用の基準電圧源と、
当該基準電圧源の電圧と前記出力電圧に対応する電圧との比較を行う電圧検出用アンプと、
前記出力電流に対応する電圧と電流検出用の基準電圧との比較を行う電流検出用アンプと、
前記電圧検出用アンプの出力と前記電流検出用アンプの出力とを入力して、その論理反転した信号を出力するＮＯＲ回路と、を有してなる定電圧定電流制御回路であって、
前記電流検出用アンプは、演算増幅器を用いてなり、当該演算増幅器の反転入力端子には、出力電流検出用抵抗器の一端が接続され、当該出力電流検出用抵抗器の他端は、前記定電圧定電流回路の−出力端子に接続され、前記演算増幅器の入力段において、非反転入力端子と反転入力端子との間に前記電流検出用の基準電圧としての電位差を生成する電位差回路が設けられてなり、
前記演算増幅器の入力段は、第２及び第３のトランジスタによる差動増幅回路が構成され、
前記第２のトランジスタは第５のトランジスタを介して、前記第３のトランジスタは第６のトランジスタを介して、それぞれ入力信号が印加されるよう構成されると共に、
電源とグランドとの間に、前記第６のトランジスタと電位差回路が直列接続されて設けられ、
前記電位差回路は、
前記電源にその一端が接続された電流源が設けられ、当該電流源の他端は、直列接続された２つの抵抗器の一端に接続され、当該直列接続された２つの抵抗器の他方の端は、前記第６のトランジスタの一端に接続され、当該第６のトランジスタの他端は、グランドに接続され、前記直列接続された２つの抵抗器の相互の接続点が前記第３のトランジスタのベースに接続される一方、前記直列接続された２つの抵抗器に対して、ダイオード接続された第４のトランジスタが並列接続されてなることを特徴とする定電圧定電流制御回路。
【発明の詳細な説明】
【０００１】
【発明の属する技術分野】
本発明は、定電圧定電流回路の出力電圧、出力電流の安定化を図る制御回路に係り、特に、出力特性の改善と共に使い勝手の向上等を図ったものに関する。
【０００２】
【従来の技術】
電子回路においては、その電源電圧の安定化と共に、電源電流の安定化が必要とされる場合があり、このため、供給電圧の定電圧化と共に、供給電流の定電流化を行う定電圧定電流回路が様々提案されている。
図４及び図５には、従来の定電圧定電流回路の構成例が示されており、以下、同図を参照しつつこれらの従来回路について説明することとする。
最初に、図４に示された定電圧定電流制御回路について説明すれば、この回路は、入出力間に設けられたトランジスタＱ１と、定電圧定電流制御回路（図４においては「ＩＣ」と表記）とを中心にして、いわゆるシリーズレギュレータが構成されたものとなっている。
定電圧定電流制御回路は、電圧検出用アンプ６１と電流検出用アンプ６２とを有し、これらの出力信号がＮＯＲ回路６３を介して出力されるようになっており、その出力信号は、トランジスタＱ１の動作制御用としてベースに印加されるようになっている。
【０００３】
また、この定電圧定電流制御回路は、その内部において、電圧検出用アンプ６１における比較動作用に、電圧検出用基準電圧（図４においては「電圧検出用Vref」と表記）が生成できるよう構成されており、定電圧定電流制御回路の出力電圧がこの電圧検出用基準電圧を中心に安定化制御されるようになっている。
その一方、この定電圧定電流制御回路は、その内部において、電流検出用アンプ６２の比較動作の際の基準となる電流検出用基準電圧が発生できるようには構成されていないために、ＩＣ外部において、外付けの抵抗器Ｒ４，Ｒ５によって電圧検出用基準電圧を抵抗分割して電流検出用基準電圧（図４においては「電流検出用Vref」と表記）を得、これを電流検出用アンプ６２の反転入力端子へ印加するようにしてある。
【０００４】
そして、かかる構成において、OUTPUT+端子とOUTPUT-端子との間に得られる安定化出力電圧は、下記する式によって表されるものとなる。
【０００５】
安定化出力電圧＝電圧検出用基準電圧×（Ｒ１＋Ｒ２）／Ｒ２
【０００６】
ここで、Ｒ１及びＲ２は、図４に示されたように、定電圧定電流制御回路の電圧検出用アンプ６１へ印加する安定化出力電圧に対応する電圧を得るべく、安定化出力電圧を分割するためにOUTPUT+端子とOUTPUT-端子との間に直列接続されて設けられた２つの抵抗器の抵抗値であるとする。
【０００７】
また、最大出力電流は、次式によって表されるものとなる。
【０００８】
最大出力電流＝｛（Ｒ５／Ｒ４）×電圧検出量基準電圧｝／Ｒ３
【０００９】
ここで、Ｒ３は、電流検出用にINPUT-端子とOUTPUT-端子との間に直列に設けられた抵抗器の抵抗値であり、Ｒ４，Ｒ５は、上述した電圧検出用基準電圧の分割のために設けられたそれぞれの抵抗器の抵抗値であるとする。
【００１０】
次に、図５に示された従来回路について、同図を参照しつつ説明する。なお、図４に示された構成要素と同一の構成要素については、同一の符号を付して、その詳細な説明を省略し、以下、異なる点を中心に説明することとする。
この従来回路においては、定電圧定電流制御回路が、電流検出用基準電圧を得るための分割用の抵抗器Ｒ４，Ｒ５を内蔵するものとなっており、この定電圧定電流制御回路とトランジスタＱ１を中心にして、いわゆるシリーズレギュレータが構成されたものとなっている。
そして、この回路によって得られる安定化出力電圧は、下記する式によって表されるものとなる。
【００１１】
安定化出力電圧＝電圧検出用基準電圧×（Ｒ１＋Ｒ２）／Ｒ２−出力電流×Ｒ３
【００１２】
また、最大出力電流は、次式によって表されるものとなる。
【００１３】
最大出力電流＝電流検出用基準電圧／Ｒ３
【００１４】
【発明が解決しようとする課題】
しかしながら、図４に示された従来回路においては、定電圧定電流制御回路に外付けの抵抗器が必要となるばかりか、定電圧定電流制御回路においては、外部接続のための端子を設ける必要があるため、回路全体が高価なものとなるという問題がある。
また、図５に示された従来回路においては、定電圧定電流制御回路に外付け抵抗器が不要である点でコスト的な改善はなされているが、定電圧定電流制御回路内部の電圧検出用基準電圧を分割して定電圧定電流制御回路のグランド電位との間に、電流検出用基準電圧を発生させているために、回路のOUTPUT-端子と定電圧定電流制御回路のグランド電位との間に、電流検出用の抵抗器Ｒ３が挿入される回路構成を採らざるを得ず、回路構成が限定されてしまうという問題がある。さらに、この回路構成のため、先に示された安定化出力電圧を表す式から理解できるように、出力電圧のロードレギュレーションが電流検出用の抵抗器における電圧降下分以下に下げられないために、出力電流が増加すると出力電圧は、図３において点線の特性線で示されたように徐々に低下してゆく特性となってしまうという問題がある。
【００１５】
本発明は、上記実状に鑑みてなされたもので、外付け部品が極力少なくて済み、しかも、ロードレギュレーションの良好な定電圧定電流制御回路を提供することにある。
本発明の他の目的は、電流検出用アンプの基準電圧を得るために、外部に外付けの抵抗器を必要とすることがなく、しかも、外部との回路構成に制限を必要としない定電圧定電流制御回路を提供することにある。
【００１６】
【課題を解決するための手段】
上記本発明の目的を達成するため、本発明に係る定電圧定電流制御回路は、
定電圧定電流回路の出力電圧及び出力電流の制御用に用いられ、前記出力電圧に対応する電圧と、前記出力電流に対応する電圧とが、前記定電圧定電流回路から入力され、
電圧検出用の基準電圧源と、
当該基準電圧源の電圧と前記出力電圧に対応する電圧との比較を行う電圧検出用アンプと、
前記出力電流に対応する電圧と電流検出用の基準電圧との比較を行う電流検出用アンプと、
前記電圧検出用アンプの出力と前記電流検出用アンプの出力とを入力して、その論理反転した信号を出力するＮＯＲ回路と、を有してなる定電圧定電流制御回路であって、
前記電流検出用アンプは、演算増幅器を用いてなり、当該演算増幅器の反転入力端子には、出力電流検出用抵抗器の一端が接続され、当該出力電流検出用抵抗器の他端は、前記定電圧定電流回路の−出力端子に接続され、前記演算増幅器の入力段において、非反転入力端子と反転入力端子との間に前記電流検出用の基準電圧としての電位差を生成する電位差回路が設けられてなり、
前記演算増幅器の入力段は、第２及び第３のトランジスタによる差動増幅回路が構成され、
前記第２のトランジスタは第５のトランジスタを介して、前記第３のトランジスタは第６のトランジスタを介して、それぞれ入力信号が印加されるよう構成されると共に、
電源とグランドとの間に、前記第６のトランジスタと電位差回路が直列接続されて設けられ、
前記電位差回路は、
前記電源にその一端が接続された電流源が設けられ、当該電流源の他端は、直列接続された２つの抵抗器の一端に接続され、当該直列接続された２つの抵抗器の他方の端は、前記第６のトランジスタの一端に接続され、当該第６のトランジスタの他端は、グランドに接続され、前記直列接続された２つの抵抗器の相互の接続点が前記第３のトランジスタのベースに接続される一方、前記直列接続された２つの抵抗器に対して、ダイオード接続された第４のトランジスタが並列接続されてなるものである。
【００１７】
かかる構成においては、定電圧定電流制御回路を構成する電流検出用アンプに、その入力端子間に電位差が生ずるように電位差回路を設けるようにしたので、従来と異なり、ＩＣの外部から基準電圧を得る必要がなくなり、定電圧定電流制御回路を用いた定電圧定電流回路の回路構成が簡素になると共に、低価格化が図られることとなるものである。
【００１８】
【発明の実施の形態】
以下、本発明の実施の形態について、図１乃至図３を参照しつつ説明する。
なお、以下に説明する部材、配置等は本発明を限定するものではなく、本発明の趣旨の範囲内で種々改変することができるものである。
最初に、本発明の実施の形態における定電圧定電流制御回路１００を定電圧定電流回路に適用した際の構成例について図１を参照しつつ説明する。
この定電圧定電流回路は、定電圧定電流制御回路１００及び第１のトランジスタ（図１においては「Ｑ１」と表記）１を中心にして、いわゆるシリーズレギュレータが構成されたものとなっている点は、従来回路と同様であるが、定電圧定電流制御回路１００による電流検出のための基準電圧の生成の仕方が後述するように従来と異なるものとなっている。
【００１９】
以下、この定電圧定電流回路の具体的構成について説明する。
まず、この回路は、＋入力端子（図１においては「INPUT+」と表記）３１と−入力端子（図１においては「INPUT-」と表記）３２との間に、外部から安定化が必要とされる電圧が印加され、安定化された電圧が＋出力端子（図１においては「OUTPUT+」と表記）３３と−出力端子（図１においては「OUTPUT-」と表記）３４との間に得られるようになっているものである。
＋入力端子３１と＋出力端子３３との間には、ｎｐｎ型の第１のトランジスタ１が、コレクタに＋入力端子３１が、エミッタに＋出力端子３３が、それぞれ接続されて設けられている。そして、この第１のトランジスタ１のベースには、定電圧定電流制御回路１００のＩＣ出力端子３８が接続されている。
【００２０】
定電圧定電流制御回路１００は、電圧検出用アンプ５１と、電流検出用アンプ５２と、ＮＯＲ回路５３とを主たる構成要素として構成されたものとなっている。
電圧検出用アンプ５１及び電流検出用アンプ５２ともに、基本的には、いわゆる演算増幅器が用いられたものとなっている。なお、本発明の実施の形態における電流検出用アンプ５２は、後述するようにその入力端子間に所定の電圧差が生ずるよう構成されたものとなっている点、通常の演算増幅器と異なっているものである。
具体的な構成を述べれば、まず、電圧検出用アンプ５１は、その非反転入力端子が、この定電圧定電流制御回路１００に設けられた検出電圧入力端子３７に接続されている一方、反転入力端子は、定電圧定電流制御回路１００内部に設けられた電圧検出用基準電圧源１７の正極側に接続されており、電圧検出用基準電圧（図１においては「電圧検出用Vref」と表記）が印加されるようになっている。なお、電圧検出用基準電圧源１７の負極側子は、定電圧定電流制御回路１００のグランド端子（図１においては「GND」と表記）４０に接続されている。そして、このグランド端子４０は、定電圧定電流制御回路１００の外部で、−出力端子３４に接続されると共に、定電圧定電流制御回路１００の電流検出用非反転入力端子３５に接続されている。
さらに、電圧検出用アンプ５１の出力端子は、ＮＯＲ回路５３の一方の入力端子に接続されたものとなっている。
【００２１】
一方、本発明の実施の形態における電流検出用アンプ５２は、非反転入力端子と反転入力端子との間に、電流検出用基準電圧となる所定の電圧差が生ずるように構成されたものとなっているが、図１においては、概念的な理解を容易とするために、電流検出用アンプ５２の外部に、電流検出用基準電圧源１８が設けられ、その正極側が電流検出用アンプ５２の反転入力端子に、負極側が定電圧定電流制御回路１００の電流検出用反転入力端子３６に、それぞれ接続されたものとして図示されている。そして、電流検出用反転入力端子３６は、−入力端子３２に接続されている。なお、電流検出用アンプ５２の非反転端子は、定電圧定電流制御回路１００の電流検出用非反転入力端子３５に接続されたものとなっている。また、この定電圧定電流制御回路１００には、電源印加端子３９が設けられており、この電源印加端子３９は＋入力端子３１に接続されて、外部から＋入力端子３１に印加された電圧を電源電圧として用いることができるようになっている。
【００２２】
そして、定電圧定電流制御回路１００の外部においては、＋出力端子３３と−出力端子３４との間に、第１の抵抗器（図１においては「Ｒ１」と表記）１１と第２の抵抗器（図１においては「Ｒ２」と表記）１２とが、第１の抵抗器１１が＋出力端子３３側となるように直列接続されて設けられている。
さらに、この第１の抵抗器１１と第２の抵抗器１２の接続点は、先の検出電圧入力端子３７に接続されたものとなっている。
また、−入力端子３２と−出力端子３４との間には、出力電流検出のための第３の抵抗器（図１においては「Ｒ３」と表記）１３が直列接続されて設けられている。
【００２３】
図２には、電流検出用アンプ５２の非反転入力端子と反転入力端子との間に所定の電位差、すなわち、電流検出用基準電圧を発生させるための電流検出用アンプ５２内部における電位差回路５４の具体的回路構成例が示されており、以下、同図を参照しつつこの回路構成例について説明することとする。なお、図２は、電流検出用アンプ５２の特に、入力段における電位差回路５４の回路構成を示すものである。
まず、ｐｎｐ型の第２及び第３のトランジスタ（図２においては、それぞれ「Ｑ２」、「Ｑ３」と表記）２，３によって、差動増幅回路が構成されたものとなっている。すなわち、第２及び第３のトランジスタ２，３のエミッタは、相互に接続されると共に、第１の電流源２１が接続されたものとなっている一方、各々のコレクタには、ｎｐｎ型の第７及び第８のトランジスタ（図２においては、それぞれ「Ｑ７」、「Ｑ８」と表記）７，８によって構成されたカレントミラー回路が接続されたものとなっている。なお、第２及び第３のトランジスタ２，３のエミッタと接続された第１の電流源２１の端部と反対側の端部は、図示されない電源に接続されて電源電圧Ｖccが印加されるようになっている。
【００２４】
この第７及び第８のトランジスタ７，８によるカレントミラー回路は、まず、それぞれのベースが相互に接続されると共に、第７のトランジスタ７のコレクタと接続されたものとなっている。
また、第７のトランジスタ７のコレクタは、先の第２のトランジスタ２のコレクタと、第８のトランジスタ８のコレクタは、先の第３のトランジスタ３のコレクタと、それぞれ接続されたものとなっている。そして、第７及び第８のトランジスタ７，８のエミッタは、グランドに接続されたものとなっている。なお、図示は省略してあるが、第８のトランジスタ８のコレクタは、次段の回路部分に接続されるものとなっている。
【００２５】
一方、第２のトランジスタ２のベースには、第２の電流源２２が接続されると共に、ｐｎｐ型の第５のトランジスタ（図２においては「Ｑ５」と表記）５のエミッタが接続されており、この第５のトランジスタ５は、そのベースが電流検出用アンプ５２の非反転入力端子（図２においては「ＩＮ＋」と表記）となっている。また、第５のトランジスタ５のコレクタは、グランドに接続されたものとなっている。なお、第２のトランジスタ２のベースに接続された第２の電流源２２の端部と反対側の端部は、図示されない電源に接続されて電源電圧Ｖccが印加されるようになっている。
【００２６】
また、第３のトランジスタ３のベース側には、次述するように電位差回路５４が構成されたものとなっている。すなわち、まず、第４及び第５の抵抗器（図２においては、それぞれ「Ｒ４」、「Ｒ５」と表記）１４，１５が直列接続され、その相互の接続点には、第３のトランジスタ３のベースが接続される一方、第４の抵抗器１４の他端には、第３の電流源２３の一端が、第５の抵抗器１５の他端には、ｐｎｐ型の第６のトランジスタ６のエミッタが、それぞれ接続されたものとなっている。そして、この第６のトランジスタ６のコレクタは、グランドに接続される一方、ベースは、電流検出用アンプ５２の反転入力端子（図２においては「ＩＮ−」と表記）となっている。なお、第３の電流源２３の他端は、図示されない電源に接続されて電源電圧Ｖccが印加されるようになっている。
さらに、ｐｎｐ型の第４のトランジスタ４が、そのコレクタが第４の抵抗器１４と第３の電流源２３との接続点に、ベースとコレクタが第５の抵抗器１５と第６のトランジスタ６のエミッタとの接続点に、それぞれ接続されるようにして設けられたものとなっている。すなわち、第４のトランジスタ４は、いわゆるダイオード接続された状態で設けられたものとなっている。
【００２７】
しかして、かかる構成における＋出力端子３３と−出力端子３４に得られる出力電圧と最大出力電流は、下記する式１、式２のように表されるものとなる。
【００２８】
出力電圧＝電圧検出用基準電圧×（Ｒ１＋Ｒ２）／Ｒ２・・・（式１）
【００２９】
ここで、Ｒ１、Ｒ２は、それぞれ第１、第２の抵抗器１１，１２の抵抗値であるとする。
【００３０】
最大出力電流＝電流検出用基準電圧／Ｒ３・・・（式２）
【００３１】
ここで、Ｒ３は、第３の抵抗器１３の抵抗値であるとする。
【００３２】
次に、かかる構成において、非反転入力端子と反転入力端子に生ずる電位差は、次のように求められるものとなっている。
まず、第５及び第６のトランジスタ５，６のベース・エミッタ間電圧を、それぞれＶbeQ5、ＶbeQ6と表し、前提条件としてＶbeQ5＝ＶbeQ6であるとする。そして、反転入力端子を基準とした非反転入力端子間との電位差、換言すれば、電流検出用基準電圧は、次式で表されるものとなる。
【００３３】
電流検出用基準電圧＝ＶbeQ4×｛Ｒ５／（Ｒ４＋Ｒ５）｝＋Ｖt・ｌｎ(Ｎ)・・・（式３）
【００３４】
ここで、ＶbeQ4は、第４のトランジスタ４のベース・エミッタ間電圧であり、Ｒ４，Ｒ５は、それぞれ第４、第５の抵抗器１４，１５の抵抗値である。また、Ｖtは、熱電圧であり、Ｎは、第２のトランジスタ２と第３のトランジスタ３のエミッタの面積比である。
そして、かかる電圧の温度変化に対する安定性は次のように考えることができる。すなわち、上述の電流検出用基準電圧の温度安定性は、温度Ｔで上記の式３を微分することで求めることができるので、式１を温度Ｔで微分すると下記するようになる。
【００３５】
電流検出用基準電圧／ｄＴ＝（ＶbeQ4／ｄＴ）×｛Ｒ５／（Ｒ４＋Ｒ５）｝＋（ｋ／ｑ）×ｌｎ(Ｎ)・・・（式４）
【００３６】
したがって、（ＶbeQ4／ｄＴ）×｛Ｒ５／（Ｒ４＋Ｒ５）｝＝（ｋ／ｑ）×ｌｎ(Ｎ)が成立するように各々の定数を設定することで、温度変化があっても電流検出用基準電圧を安定したものとすることが可能となる。
【００３７】
次に、かかる構成を有してなる定電圧定電流回路の動作について説明する。
本発明の実施の形態における定電圧定電流回路の電圧及び電流の安定化動作は、基本的に従来回路と同様のものである。すなわち、まず、＋出力端子３３及び−出力端子３４間における出力電圧が何らかの原因により変動し、電圧検出用基準電圧を超えると、定電圧定電流制御回路１００内部における電圧検出用アンプ５１において、非反転入力端子の電圧が反転入力端子側に設定された電圧検出用基準電圧を超えることとなるため、電圧検出用アンプ５１からは論理値Ｈｉｇｈに対応する所定レベルの信号が出力されることとなる。そして、この論理値Ｈｉｇｈの信号は、ＮＯＲ回路５３により論理反転されて、第１のトランジスタ１のベースには、論理値Ｌｏｗに相当する所定レベルの信号が印加されることとなる。その結果、第１のトランジスタ１は、非導通状態とされるため、出力電圧の上昇が抑制されることとなる。
上述の場合とは逆に、＋出力端子３３及び−出力端子３４間における出力電圧が何らかの原因により変動し、電圧検出用基準電圧を下回ると、電圧検出用アンプ５１からは、上述の場合とは逆に論理値Ｌｏｗに相当する所定レベルの信号が出力され、ＮＯＲ回路５３において、論理反転される結果、第１のトランジスタ１のベースには、論理値Ｈｉｇｈに相当する所定レベルの信号が印加されることとなる。その結果、第１のトランジスタ１は、導通状態とされるため、出力電圧の上昇が促され、出力電圧の低下が阻止されることとなる。
【００３８】
一方、出力電流の変動は、第３の抵抗器１３における電圧降下に置き換えられ、この電圧降下分と電流検出用基準電圧との比較が、電流検出用アンプ５２によって行われるようになっている。
すなわち、出力電流が電流検出用基準電圧、すなわち、具体的には、本実施の形態においては、電流検出用アンプ５２の非反転入力端子と反転端子間に生ずる電位差を超えると、電流検出用アンプ５２からは論理値Ｈｉｇｈに対応する所定レベルの信号が出力され、ＮＯＲ回路５３において論理反転されて、第１のトランジスタ１には、論理値Ｌｏｗに相当する信号が印加されることとなる。その結果、第１のトランジスタ１は、非導通状態とされるため、出力電流の上昇が抑制されることとなる。
【００３９】
上述の場合とは逆に、出力電流が電流検出用基準電圧を下回ると、電流検出用アンプ５２からは、論理値Ｌｏｗに相当する所定レベルの信号が出力され、ＮＯＲ回路５３において、論理反転される結果、第１のトランジスタ１のベースには、論理値Ｈｉｇｈに相当する所定レベルの信号が印加されることとなる。その結果、第１のトランジスタ１は、導通状態とされるため、出力電流の上昇が促され、出力電流不足が解消されるようになっている。
そして、本発明の実施の形態における定電圧定電流回路は、出力電流検出用の第３の抵抗器１３が、従来回路と異なり、定電圧定電流制御回路１００のグランド端子４０と−出力端子３４との間に設けられた構成ではないために、従来回路にあったようないわゆるロードレギュレーションがこの第３の抵抗器１３における電圧降下分以下にできないということがない。そのため、本発明の実施の形態における定電圧定電流回路の出力電圧電流特性は、図３において実線で示されたように、ロードレギュレーションが極めて良好なものとなっている。なお、図３において、縦軸は、定電圧定電流回路の出力電圧であり、横軸は、定電圧定電流回路の出力電流である。
【００４０】
【発明の効果】
以上、述べたように、本発明に係る定電圧定電流制御回路によれば、電流検出用アンプの比較動作に必要な基準電圧を、制御回路の内部において独自に生成できるような構成としたので、従来と異なり、外付けの部品が極力少なくて済み、しかも使用の際に外部の回路構成などに制限を生ずることなく、ロードレギュレーションの良好な定電圧定電流制御回路を提供することができるという効果を奏するものである。
【図面の簡単な説明】
【図１】本発明の実施の形態における定電圧電流制御回路を用いた定電圧定電流回路の回路構成例を示す回路図である。
【図２】本発明の実施の形態における定電圧電流制御回路の入力端子間に電位差を生じさせるための具体的回路構成例を示す回路図である。
【図３】本発明の実施の形態における定電圧定電流回路及び従来回路の出力電圧電流特性を示す特性図である。
【図４】従来回路の第１の回路構成例を示す回路図である。
【図５】従来回路の第２の回路構成例を示す回路図である。
【符号の説明】
１…第１のトランジスタ
２…第２のトランジスタ
３…第３のトランジスタ
４…第４のトランジスタ
５…第５のトランジスタ
６…第６のトランジスタ
７…第７のトランジスタ
８…第８のトランジスタ
１４…第４の抵抗器
１５…第５の抵抗器
５１…電圧検出用アンプ
５２…電流検出用アンプ
５３…ＮＯＲ回路
５４…電位差回路
１００…定電圧定電流制御回路
【図１】
0004077242.tif 000002
【図２】
0004077242.tif 000003
【図３】
0004077242.tif 000004
【図４】
0004077242.tif 000005
【図５】
0004077242.tif 000006